(57)【要約】【課題】  鍵盤蓋を楽器ケースのスタンドとして使用することができる鍵盤楽器を提供する。【解決手段】  鍵盤部２が設けられた楽器ケース１と、鍵盤部２の鍵配列方向において２つに分割されて鍵盤部２を覆う一対の鍵盤蓋６と、楽器ケース１の両側部１ａにそれぞれ回転可能に取り付けられて一対の鍵盤蓋６を支持し、これら一対の鍵盤蓋６を楽器ケース１の両側に向けて開閉する一対の回転支持部材７と、を備えている。従って、一対の鍵盤蓋６を鍵盤部２上に配置させて鍵盤部２を良好に覆うことができると共に、一対の鍵盤蓋６を一対の回転支持部材７によって楽器ケース１の両側に向けて回転させて楽器ケース１の下側に配置させることができる。これにより、一対の鍵盤蓋６を楽器ケース１のスタンドとして使用することができる。【選択図】        図１
2014228610.tif 000002
【特許請求の範囲】
【請求項１】
鍵盤部が設けられた楽器ケースと、
前記鍵盤部の鍵配列方向において２つに分割され、前記鍵盤部を覆う一対の鍵盤蓋と、
前記楽器ケースの両側部にそれぞれ回転可能に取り付けられて前記一対の鍵盤蓋を支持し、これら一対の鍵盤蓋を前記楽器ケースの両側に向けて開閉する一対の回転支持部材と、
を備えていることを特徴とする鍵盤楽器。
【請求項２】
請求項１に記載の鍵盤楽器において、前記一対の回転支持部材は、前記鍵盤部上から前記楽器ケースの両側部の各側方を経て前記楽器ケースの下部に亘って、前記一対の鍵盤蓋をそれぞれ回転移動させることを特徴とする鍵盤楽器。
【請求項３】
請求項１または請求項２に記載の鍵盤楽器において、前記一対の回転支持部材は、前記楽器ケースの両側部内にそれぞれ設けられた各支持軸と、これら各支持軸にそれぞれ上下方向に回転自在に取り付けられた各回転アーム部とを有し、前記各回転アーム部が前記楽器ケースの両側部にそれぞれ設けられたスリット状の各ガイド孔内を回転移動することを特徴とする鍵盤楽器。
【請求項４】
請求項１〜請求項３のいずれかに記載の鍵盤楽器において、前記楽器ケースの下面における後部には、補助スタンド部材が上下方向に回転可能に取り付けられていることを特徴とする鍵盤楽器。
【請求項５】
請求項１〜請求項４のいずれかに記載の鍵盤楽器において、前記楽器ケースの下側に垂下された状態の前記一対の鍵盤蓋を前記楽器ケースに対して固定するための固定部材を備えていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、電子ピアノなどの鍵盤楽器においては、特許文献１に記載されているように、楽器ケースに設けられた鍵盤部を１枚板の鍵盤蓋で開閉可能に覆うように構成されたものが知られている。
【先行技術文献】
【特許文献】
【０００３】
【特許文献１】特開２０１２−１８５３５４号公報
【０００４】
このような鍵盤楽器は、鍵盤蓋を回転可能に支持する回転支持部材が鍵盤部の後方に位置する楽器ケース内に設けられ、この回転支持部材によって鍵盤蓋が楽器ケースの後部に起立した状態で開くように構成されている。
【発明の概要】
【発明が解決しようとする課題】
【０００５】
しかしながら、このような鍵盤楽器では、鍵盤蓋を上下方向に回転させて鍵盤部を開閉可能に覆うことができても、鍵盤蓋を開いた際に、鍵盤蓋が楽器ケースの後部に起立する構成であるから、鍵盤部を楽器ケースのスタンドとして使用することができないという問題がある。
【０００６】
この発明が解決しようとする課題は、鍵盤蓋を楽器ケースのスタンドとして使用することができる鍵盤楽器を提供することである。
【課題を解決するための手段】
【０００７】
この発明は、鍵盤部が設けられた楽器ケースと、前記鍵盤部の鍵配列方向において２つに分割され、前記鍵盤部を覆う一対の鍵盤蓋と、前記楽器ケースの両側部にそれぞれ回転可能に取り付けられて前記一対の鍵盤蓋を支持し、これら一対の鍵盤蓋を前記楽器ケースの両側に向けて開閉する一対の回転支持部材と、を備えていることを特徴とする鍵盤楽器である。
【発明の効果】
【０００８】
この発明によれば、一対の鍵盤蓋を一対の回転支持部材によって楽器ケースの上側にそれぞれ回転移動させて鍵盤部を良好に覆うことができると共に、一対の鍵盤蓋を一対の回転支持部材によって楽器ケースの両側に向けて回転移動させて楽器ケースの下側に垂下させることができる。これにより、一対の鍵盤蓋を楽器ケースのスタンドとして使用することができる。
【図面の簡単な説明】
【０００９】
【図１】この発明を適用した鍵盤楽器の一実施形態において、鍵盤部を一対の鍵盤蓋で覆った状態を示した斜視図である。
【図２】図１に示された鍵盤楽器において、一対の鍵盤蓋を回転させて楽器ケースの両側に起立させた回転途中の状態を示した斜視図である。
【図３】図２に示された鍵盤楽器において、一対の鍵盤蓋を更に回転させて楽器ケースの下側に垂下させてスタンドとして使用する状態を示した斜視図である。
【図４】図１に示された鍵盤楽器を右側から見た拡大側面図である。
【図５】図１に示された鍵盤楽器の右側に位置する側部を示した拡大平面図である。
【図６】図５に示された鍵盤楽器のＡ−Ａ矢視において、鍵盤蓋および回転支持部材の回転動作の軌跡を示した要部の拡大断面図である。
【図７】図４に示された鍵盤楽器の補助スタンド部材を示し、（ａ）はその補助スタンド部材が取付板によって楽器ケースのスタンド収納部内に取り付けられた状態を示した要部の拡大側面図、（ｂ）はその補助スタンド部材および取付板を下側から見た下面図、（ｃ）はその取付板によって取り付けられた補助スタンド部材を下側に垂下させた状態を示した正面図、（ｄ）は補助スタンド部材に設けられたストッパ部を示した側面図である。
【図８】図４に示された鍵盤楽器の固定部材の要部を示した拡大図である。
【発明を実施するための形態】
【００１０】
以下、図１〜図８を参照して、この発明を適用した鍵盤楽器の一実施形態について説明する。
この鍵盤楽器は、図１〜図３に示すように、楽器ケース１を備えている。この楽器ケース１は、横方向（図１では左右方向）に長い箱状に形成されている。この楽器ケース１の前側部には、鍵盤部２が設けられている。また、この楽器ケース１の後側部における中央部には操作部３および表示部４が設けられており、この楽器ケース１の後側部における両側部には、スピーカ部５がそれぞれ設けられている。
【００１１】
この場合、鍵盤部２は、図２および図３に示すように、白鍵および黒鍵からなる複数の鍵２ａが並列に配置され、これら複数の鍵２ａが楽器ケース１の上側に露出し、この露出した複数の鍵２ａが押鍵操作されて演奏が行われるように構成されている。操作部３は、電源スイッチ、音量スイッチ、音色選択スイッチなどの各種のスイッチを備えている。表示部４は、平面型の表示パネルからなり、楽器に必要な情報を電気光学的に表示するように構成されている。スピーカ部５は、鍵盤部２の鍵操作に応じて楽音を放音するものである。
【００１２】
ところで、この楽器ケース１は、図１〜図３に示すように、鍵盤部２を楽器ケース１の左右両側に向けて開閉可能に覆う一対の鍵盤蓋６を備えている。これら一対の鍵盤蓋６は、それぞれ平板状に形成され、その大きさが鍵盤部２の鍵配列方向において、鍵盤部２を２つに分割する大きさに形成されている。
【００１３】
すなわち、これら一対の鍵盤蓋６は、図１〜図３に示すように、その横方向（図１では左右方向）の長さが鍵盤部２の鍵配列方向における長さの半分の長さで、前後方向の長さが楽器ケース１の上側に露出する鍵盤部２の前後方向の長さと同じ長さの平板状に形成されている。この場合、一対の鍵盤蓋６が互いに接離可能に接近する各端部には、各鍵盤蓋６を開閉するための断面逆Ｌ字形状の取手部６ａがそれぞれ設けられている。
【００１４】
また、一対の鍵盤蓋６は、図１〜図６に示すように、鍵盤部２の両側に位置する楽器ケース１の両側部１ａに、一対の回転支持部材７によってそれぞれ上下方向に回転可能に取り付けられている。これら一対の回転支持部材７は、楽器ケース１の両側部１ａ内にそれぞれ設けられた一対の支持軸８と、これら一対の支持軸８の前後部にそれぞれ回転自在に取り付けられた各一対の回転アーム部９とを備えている。
【００１５】
この場合、一対の支持軸８は、図５および図６に示すように、鍵盤部２の両側に位置する楽器ケース１の両側部１ａ内にその前後方向に沿ってそれぞれ設けられている。これら一対の支持軸８は、それぞれパイプ状に形成され、その内部に接続ケーブル（図示せず）が挿入するように構成されていることが望ましい。
【００１６】
また、一対の回転アーム部９は、図６に示すように、それぞれアーム本体部９ａの一端部である内端部９ｂが支持軸１０の前後部にそれぞれ回転可能に取り付けられ、アーム本体部９ａの他端部である外端部９ｃが楽器ケース１の外部に突出し、この突出した各外端部９ｃが一対の鍵盤蓋６の各一端部６ｂ、つまり各取手部６ａと反対側に位置する端部６ｂにそれぞれ取り付けられるように構成されている。
【００１７】
この場合、楽器ケース１の両側部１ａには、図１〜図３に示すように、一対の回転アーム部９をそれぞれガイドする各一対のガイド孔１０が設けられている。すなわち、これら一対のガイド孔１０は、楽器ケース１の両側部１ａの前後部に位置し、両側部１ａにおける各上面から各側面を経て各下面に亘って連続するスリット状に形成されている。
【００１８】
また、楽器ケース１の両側部１ａにおける各下部には、図６に示すように、回転アーム部９および鍵盤蓋６の一端部６ｂを配置するための逃し凹部１１が、楽器ケース１の両側部１ａの各側面から鍵盤部２の両側近傍に位置する楽器ケース１の各下側部に亘ってそれぞれ設けられている。
【００１９】
これにより、回転アーム部９は、図６に示すように、支持軸８を中心に回転する際に、アーム本体部９ａが楽器ケース１の側部１ａのガイド孔１０に沿って回転移動することにより、アーム本体部９ａの外端部９ｃに取り付けられた鍵盤蓋６を楽器ケース１の鍵盤部２上から楽器ケース１の側部１ａの側方を経て、楽器ケース１の側部１ａの下側に向けて回転移動させるように構成されている。
【００２０】
すなわち、回転アーム部９は、図６に示すように、ほぼ２７０度の回転範囲内で回転するように構成されている。この場合、回転アーム部９は、その内端部９ｂがアーム本体部９ａから楽器ケース１の側部１ａ内の支持軸８に向けて突出し、外端部９ｃがアーム本体部９ａから内端部９ｂと同じ方向に向けて突出した構成になっている。
【００２１】
これにより、回転アーム部９は、図６に示すように、アーム本体部９ａの内端部９ｂが支持軸８を中心に回転して、鍵盤蓋６が楽器ケース１の鍵盤部２上に配置された際に、アーム本体部９ａの内端部９ｂがガイド孔１０内に位置した状態で、図１に示すように、アーム本体部９ａが楽器ケース１の側部１ａの上側に突出して配置されるように構成されている。
【００２２】
また、この回転アーム部９は、図６に示すように、アーム本体部９ａの内端部９ｂが支持軸８を中心に回転して、鍵盤蓋６が楽器ケース１の下側に垂直な状態で配置された際に、アーム本体部９ａがガイド孔１０内に位置した状態で、アーム本体部９ａの外端部９ｃおよびこの外端部９ｃに取り付けられた鍵盤蓋６の一端部６ｂが楽器ケース１の側部１ａの下部に設けられた逃し凹部１１内に配置されるように構成されている。
【００２３】
このため、スリット状のガイド孔１０は、図６に示すように、楽器ケース１の側部１ａにおける上面の中間部、つまり支持軸８の上方に位置する個所から、楽器ケース１の側部１ａの側面を経て、楽器ケース１の側部１ａの下面における逃し凹部１１の奥部、つまり鍵盤部２の両側近傍に位置する逃し凹部１１の個所に亘って、連続した状態で形成されている。
【００２４】
一方、楽器ケース１の下面における後部側（図４では右側）には、図４に示すように、スタンド収納部１２が下側に開放されて設けられている。このスタンド収納部１２内には、長方形の枠状に形成された補助スタンド部材１３が上下方向に回転可能に取り付けられている。この補助スタンド部材１３は、図７（ａ）〜図７（ｃ）に示すように、丸棒を長方形状に折り曲げた構成になっている。
【００２５】
すなわち、この補助スタンド部材１３は、図４および図７（ｃ）に示すように、その横方向（図７（ｃ）では左右方向）の長さが鍵盤部２の鍵配列方向における楽器ケース１の長さとほぼ同じ長さで、前後方向（図７（ｃ）では上下方向）の長さが各鍵盤蓋６の鍵配列方向の長さと同じ長さ、つまり鍵盤部２の鍵配列方向におけるほぼ半分の長さに形成されている。
【００２６】
また、この補助スタンド部材１３は、図４および図７に示すように、楽器ケース１の後端部（図４では右端部）に配置される一辺部１３ａ（図７（ｃ）では上辺部）が、一対の取付板１４によってスタンド収納部１２内における後端部に回転可能に取り付けられるように構成されている。
【００２７】
すなわち、一対の取付板１４は、図７（ａ）〜図７（ｃ）に示すように、それぞれ金属板からなり、その各中間部に半円形部１４ａがそれぞれ設けられ、これら各半円形部１４ａに補助スタンド部材１３の一辺部１３ａが回転可能に配置され、この状態で各半円形部１４ａの両端部１４ｂがビス１５によって楽器ケース１のスタンド収納部１２内にそれぞれ取り付けられるように構成されている。
【００２８】
これにより、補助スタンド部材１３は、図３および図４に示すように、一対の取付板１４によって楽器ケース１に取り付けられた補助スタンド部材１３の一辺部１３ａを中心に回転することにより、楽器ケース１の下面に設けられたスタンド収納部１２内に収納される一方、スタンド収納部１２内から引き出されて楽器ケース１の下側に垂下された際に、一対の鍵盤蓋６で支持された楽器ケース１の後部側を支持して、楽器ケース１が後方に倒れるのを防ぐように構成されている。
【００２９】
この場合、補助スタンド部材１３には、図７（ｂ）〜図７（ｄ）に示すように、補助スタンド部材１３が楽器ケース１の下側に垂下された際に、補助スタンド部材１３を位置規制するためのストッパ部１６が設けられている。このストッパ部１６は、一対の取付板１４によって楽器ケース１に取り付けられた補助スタンド部材１３の一辺部１３ａの両側部にその外周に突出した状態でそれぞれ設けられている。
【００３０】
これにより、ストッパ部１６は、図７（ｄ）に示すように、補助スタンド部材１３が楽器ケース１の下面に設けられたスタンド収納部１２内に収納された状態のときに、楽器ケース１の下面から下側に離れ、また補助スタンド部材１３が楽器ケース１の下側に垂下された状態のときに、楽器ケース１の下面に当接して補助スタンド部材１３の回転位置を規制するように構成されている。
【００３１】
また、鍵盤部２が対応する楽器ケース１の下面には、図４に示すように、固定部材１７を着脱可能に収納する収納凹部１８が下側に開放された状態で設けられている。この収納凹部１８は、半円形状の凹溝であり、鍵盤部２の下側に位置する楽器ケース１の下面に、鍵配列方向に沿って設けられている。この場合、鍵配列方向における中間部に位置する収納凹部１８内には、固定部材１７を係脱可能に係止する一対の係止突起１８ａが、互いに対向して設けられている。
【００３２】
また、固定部材１７は、図３、図４および図６に示すように、楽器ケース１の下側に垂下された一対の鍵盤蓋６間に取り付けられて、一対の鍵盤蓋６を楽器ケース１に対して固定するように構成されている。すなわち、この固定部材１７は丸棒状に形成されており、この固定部材１７の両端部には、ねじ部材１９が螺合するねじ穴１７ａがそれぞれ設けられている。
【００３３】
これにより、固定部材１７は、図３、図４および図６に示すように、楽器ケース１の下側に垂下された一対の鍵盤蓋６間に配置された際に、一対の鍵盤蓋６の各中央部に設けられた各ねじ挿入孔６ｃに対応し、この状態で一対の鍵盤蓋６の各ねじ挿入孔６ｃを通してねじ部材１９を固定部材１７の両端部のねじ穴１７ａに螺合させて締め付けることにより、一対の鍵盤蓋６を相互に固定するように構成されている。
【００３４】
この場合、固定部材１７の長手方向における中間部には、図４および図８に示すように、楽器ケース１の下面に設けられた収納凹部１８内の一対の係止突起１８ａに係脱可能に係合する係合凹部１７ｂが設けられている。これにより、固定部材１７は、楽器ケース１の下面に設けられた収納凹部１８内に下側から挿入されると、収納凹部１８内の一対の係止突起１８ａに固定部材１７の係合凹部１７ｂが係脱可能に係止され、この状態で収納凹部１８内に収納されるように構成されている。
【００３５】
次に、このような鍵盤楽器の作用について説明する。
この鍵盤楽器で演奏しない場合には、一対の鍵盤蓋６を楽器ケース１の鍵盤部２上に配置して、鍵盤部を一対の鍵盤蓋６で覆って保護する。すなわち、楽器ケース１の両側部１ａ内に設けられた一対の回転支持部材７の各支持軸８を中心にそれぞれ各回転アーム部９を回転させて、各回転アーム部９の外端部９ｃに設けられた一対の鍵盤蓋６を鍵盤部２上に配置させれば良い。
【００３６】
このときには、各回転アーム部９の各アーム本体部９ａおよびその各内端部９ｂが、楽器ケース１の両側部１ａにそれぞれ設けられた各ガイド孔１０に沿ってそれぞれ移動して、各アーム本体部９ａが楽器ケース１の両側部１ａの上側にそれぞれ配置される。この状態では、各アーム本体部９ａの各外端部９ｃが楽器ケース１の両側部１ａを越えて鍵盤部２上に位置する。これにより、一対の鍵盤蓋６がそれぞれ鍵盤部６上に配置されて鍵盤部６を覆う。
【００３７】
この場合には、補助スタンド部材１３を上方に回転させて楽器ケース１の下面に設けられたスタンド収納部１２内に収納する。このときには、一対の取付板１４によって楽器ケース１の下面に回転自在に取り付けられた補助スタンド部材１３の一辺部１３ａを中心に、補助スタンド部材１３を上方に向けて回転させることにより、補助スタンド部材１３が楽器ケース１のスタンド収納部１２内に収納される。
【００３８】
また、この場合には、固定部材１７を楽器ケース１の下面に設けられた収納凹部１８内に収納する。このときには、固定部材１７の中間部に設けられた係合凹部１７ｂを楽器ケース１の収納凹部１８内に設けられた一対の係止突起１８ａに係脱可能に係合させる。これにより、固定部材１７が楽器ケース１の収納凹部１８内に脱落することなく収納される。
【００３９】
さらに、このときには、固定部材１７の両端部に設けられた各ねじ穴１７ａに螺合して一対の鍵盤蓋６を固定するための一対のねじ部材１９を紛失しないように、固定部材１７の両端部の各ねじ穴１７ａにそれぞれ螺合させて取り付け、この状態で固定部材１７を楽器ケース１の収納凹部１８内に収納することが望ましい。
【００４０】
一方、この鍵盤楽器を使用する場合には、一対の鍵盤蓋６を回転させて楽器ケース１の鍵盤部２を開放させて上側に露出させる。このときにも、楽器ケース１の両側部１ａ内に設けられた一対の回転支持部材７の各支持軸８を中心にそれぞれ各回転アーム部９を回転させて、各回転アーム部９の外端部９ｃに設けられた一対の鍵盤蓋６を楽器ケース１の下側にそれぞれ垂下させれば良い。
【００４１】
この場合には、各回転アーム部９の各アーム本体部９ａおよびその各内端部９ｂを、楽器ケース１の両側部１ａにそれぞれ設けられた各ガイド孔１０に沿ってそれぞれ移動させて、楽器ケース１の両側部１ａの上側から楽器ケース１の両側部１ａの側方を経て楽器ケース１の両側部１ａの下側に移動させる。すると、各回転アーム部９の各アーム本体部９ａおよびその各外端部９ｃが楽器ケース１の下部に設けられた逃し凹部１１内に垂下された状態で配置される。
【００４２】
これにより、一対の鍵盤蓋６は、楽器ケース１の両側部１ａの下側にそれぞれ垂下された状態で配置される。このため、一対の鍵盤蓋６が楽器ケース１を支持するスタンドとして機能する。この状態では、一対の鍵盤蓋６が不安定な状態であるため、固定部材１７によって一対の鍵盤蓋６を相互に固定する。
【００４３】
このときには、楽器ケース１の下面に設けられた収納凹部１８内から固定部材１７を取り出し、この固定部材１７を一対の鍵盤蓋６間に配置して、固定部材１７の両端部の各ねじ穴１７ａを一対の鍵盤蓋６の各ねじ挿入孔６ｃに対応させる。この状態で、一対の鍵盤蓋６の各ねじ挿入孔６ｃを通して各ねじ部材１９を固定部材１７の各ねじ穴１７ａに螺合させて締め付ける。
【００４４】
これにより、固定部材１７の両端部が一対の鍵盤蓋６に各ねじ部材１９によって固定されるので、一対の鍵盤蓋６が楽器ケース１の下部に垂下された状態で、固定部材１７によって各回転支持部材７の各支持軸８を中心とする回転が規制される。このため、固定部材１７によって一対の鍵盤蓋６が楽器ケース１に対して固定され、この固定された一対の鍵盤蓋６によって楽器ケース１がぐらつかないように安定した状態で支持される。
【００４５】
この状態で、補助スタンド部材１３を下方に回転させて楽器ケース１の下面に設けられたスタンド収納部１２内から引き出して楽器ケース１の下側に垂下させる。このときには、一対の取付板１４によって楽器ケース１の下面に回転自在に取り付けられた補助スタンド部材１３の一辺部１３ａを中心に、補助スタンド部材１３を下方に向けて回転させる。
【００４６】
そして、補助スタンド部材１３が楽器ケース１の下側に垂下されると、一対の取付板１４によって楽器ケース１に取り付けられた補助スタンド部材１３の一辺部１３ａの両側部にその外周に突出して設けられたストッパ部１６が、楽器ケース１の下面に当接して補助スタンド部材１３の回転位置を規制する。このため、補助スタンド部材１３はその回転が阻止され、楽器ケース１の後端部を支持するので、楽器ケース１が後方に倒れないように、補助スタンド部材１３によって安定した状態で支持される。
【００４７】
これにより、楽器ケース１は、鍵盤部２を上側に開放した状態で、一対の鍵盤蓋６および補助スタンド部材１３によって確実にかつ良好に支持される。このため、この状態では、上側に開放された鍵盤部２の複数の鍵２を押鍵操作して演奏する際に、その演奏中に楽器ケース１がぐらつくことがないので、良好に演奏を行うことができる。
【００４８】
このように、この鍵盤楽器によれば、鍵盤部２が設けられた楽器ケース１と、この楽器ケース１の鍵盤部２の鍵配列方向において２つに分割されて、鍵盤部２を覆う一対の鍵盤蓋６と、楽器ケース１の両側部１ａにそれぞれ回転可能に取り付けられて一対の鍵盤蓋６を支持し、これら一対の鍵盤蓋６を楽器ケース１の両側に向けて開閉する一対の回転支持部材７と、を備えているので、一対の鍵盤蓋６を楽器ケース１のスタンドとして使用することができる。
【００４９】
すなわち、この鍵盤楽器では、一対の鍵盤蓋６を鍵盤部２上に配置させることにより、鍵盤部２を確実にかつ良好に覆うことができ、これにより楽器全体をコンパクトに携帯することができ、また一対の鍵盤蓋６を一対の回転支持部材７によって楽器ケース１の両側に向けて回転移動させて楽器ケース１の下側に垂下させることができるので、一対の鍵盤蓋６を楽器ケース１のスタンドとして良好に使用することができる。
【００５０】
この場合、鍵盤楽器が大型の鍵盤楽器で、鍵盤部２の鍵配列方向の長さが長い場合には、一対の鍵盤蓋６を楽器ケース１のスタンドとして使用する際に、通常のスタンドの高さとほぼ同じ高さのスタンドとして楽器ケース１を支持することができる。また、鍵盤楽器が小型の鍵盤楽器で、鍵盤部２の鍵配列方向の長さが短い場合には、一対の鍵盤蓋６を楽器ケース１のスタンドとして使用する際に、高さの低いお座敷用のスタンドとして楽器ケース１を支持することができる。
【００５１】
また、この鍵盤楽器では、一対の回転支持部材７が、鍵盤部２上から楽器ケース１の両側部１ａの各側方を経て楽器ケース１の下部に亘って、一対の鍵盤蓋６をそれぞれ回転移動させる構成であるから、一対の回転支持部材７によって一対の鍵盤蓋６を回転移動させて鍵盤部２を覆う際に、一対の鍵盤蓋６を楽器ケース１の両側から鍵盤部２上に移動させて配置させることができる。
【００５２】
また、この鍵盤楽器では、一対の回転支持部材７によって一対の鍵盤蓋６を回転移動させて楽器ケース１の下側に配置する際に、一対の鍵盤蓋６を楽器ケース１の両側部１ａの側方を経て楽器ケース１の下側に配置することができるので、一対の鍵盤蓋６を楽器ケース１のスタンドとして使用することができる。
【００５３】
この場合、一対の回転支持部材７は、楽器ケース１の両側部１ａ内に配置された各支持軸８と、これら各支持軸８にそれぞれ上下方向に回転自在に取り付けられた各回転アーム部９とを有し、各回転アーム部９が楽器ケース１の両側部１ａにそれぞれ設けられたスリット状の各ガイド孔１０内をそれぞれ回転移動する構成であるから、一対の鍵盤蓋６を一対の回転支持部材７によって良好にかつ円滑に回転移動させることができる。
【００５４】
すなわち、一対の回転支持部材７は、各支持軸８に各回転アーム部９をそれぞれ回転自在に確実に取り付けることができ、こられ各回転アーム部９によって一対の鍵盤蓋６を確実に支持して安定した状態で回転移動させることができると共に、各回転アーム部９を楽器ケース１の両側部１ａにそれぞれ設けられた各ガイド孔１０に沿ってそれぞれガイドしながら円滑に移動させることができる。
【００５５】
この場合、回転アーム部９は、その内端部９ｂがアーム本体部９ａから楽器ケース１の側部内の支持軸８に向けて突出し、外端部９ｃがアーム本体部９ａから内端部９ｂと同じ方向に突出した構成であるから、アーム本体部９ａの内端部９ｂが支持軸８を中心に回転して、鍵盤蓋６が楽器ケース１の鍵盤部２上に配置された際に、アーム本体部９ａの内端部９ｂをガイド孔１０内に位置させた状態で、アーム本体部９ａを楽器ケース１の側部１ａの上側に突出させた状態で配置することができる。
【００５６】
また、この回転アーム部９は、アーム本体部９ａの内端部９ｂが支持軸８を中心に回転して、鍵盤蓋６が楽器ケース１の下側に垂直な状態で配置された際に、アーム本体部９ａをガイド孔１０内に位置させた状態で、アーム本体部９ａの外端部９ｃおよびこの外端部９ｃに取り付けられた鍵盤蓋６の一端部６ｂを楽器ケース１の側部１ａの下部に設けられた逃し凹部１１内に確実に配置させることができ、これにより一対の鍵盤蓋６を楽器ケース１のスタンドとして良好に使用することができる。
【００５７】
この場合、スリット状のガイド孔１０は、楽器ケース１の側部１ａにおける上面の中間部、つまり支持軸８の上方に位置する個所から、楽器ケース１の側部１ａの側面を経て、楽器ケース１の側部１ａの下面における逃し凹部１１の奥部、つまり鍵盤部２の両側近傍に位置する逃し凹部１１の個所に亘って、連続した状態で形成しても、回転アーム部９が２７０度の回転範囲内で回転するので、各ガイド孔１０によって楽器ケース１の両側部１ａがそれぞれ切断されることがなく、楽器ケース１の両側部１ａにガイド孔１０をそれぞれ確実にかつ良好に形成することができる。
【００５８】
さらに、この鍵盤楽器では、楽器ケース１の下面に補助スタンド部材１３が上下方向に回転可能に取り付けられているので、補助スタンド部材１３を回転させて楽器ケース１の下側に垂下させることができ、これにより一対の鍵盤蓋６と共に楽器ケース１のスタンドとして使用することができるので、一対の鍵盤蓋６と補助スタンド部材１３とによって楽器ケース１をぐらつくことなく安定した状態で確実にかつ良好に支持することができる。
【００５９】
この場合、楽器ケース１の下面には、補助スタンド部材１３を収納するスタンド収納部１２が設けられているので、演奏しないときに補助スタンド部材１３を楽器ケース１のスタンド収納部１２に収納することができ、これにより補助スタンド部材１３が邪魔にならず、楽器全体をコンパクトに携帯することができる。
【００６０】
また、補助スタンド部材１３には、ストッパ部１６が設けられているので、補助スタンド部材１３を回転させて楽器ケース１の下側に垂下させた際に、ストッパ部１６が楽器ケース１の下面に当接することにより、補助スタンド部材１３の回転位置を規制することができる。これにより、補助スタンド部材１３をスタンドとして使用する際に、補助スタンド部材１３を確実に位置規制することができるので、楽器ケース１が後方に倒れないように、安定した状態で楽器ケース１を良好に支持することができる。
【００６１】
また、この鍵盤楽器では、楽器ケース１の下側に垂下された状態の一対の鍵盤蓋６を楽器ケース１に対して固定するための固定部材１７を備えていることにより、この固定部材１７によって楽器ケース１の下側に垂下された一対の鍵盤蓋６を楽器ケース１に対して確実にかつ良好に固定することができ、これにより一対の鍵盤蓋６によって楽器ケース１を確実にかつ強固に支持することができる。
【００６２】
この場合、固定部材１７は、丸棒状に形成され、その両端部にねじ部材１９が螺合する各ねじ穴１７ａが設けられており、一対の鍵盤蓋６には、ねじ部材１９が挿入するねじ挿入孔６ｃが設けられているので、固定部材１７の両端部の各ねじ穴１７ａを一対の鍵盤蓋６の各ねじ挿入孔６ｃに対応させ、この状態でねじ部材１９を各ねじ挿入孔６ｃに挿入させてねじ穴１７ａに螺合させることにより、固定部材１７によって一対の鍵盤蓋６を相互に固定して楽器ケース１に対して確実にかつ強固に固定することができる。
【００６３】
また、この固定部材１７は、楽器ケース１の下面に設けられた収納凹部１８内に着脱可能に収納されることにより、演奏しないときに一対の鍵盤蓋６間から固定部材１７を取り外して楽器ケース１の下面の収納凹部１８内に収納することができるので、固定部材１７を紛失したり、また固定部材１７が邪魔になったりせず、良好に携帯することができる。この場合、固定部材１７を収納凹部１８内に収納する際に、各ねじ部材１９を固定部材１７の両端部の各ねじ穴１７ａに取り付けた状態で、収納凹部１８に収納することにより、各ねじ部材１９を紛失せずに良好に収納することができる。
【００６４】
なお、上述した実施形態では、楽器ケース１の下側に垂下した一対の鍵盤蓋６を丸棒状の固定部材１７によって固定するように構成した場合について述べたが、これに限らず、楽器ケース１の下側に垂下した一対の鍵盤蓋６をビスなどの固定部材によって楽器ケース１に対して直接固定するように構成しても良い。
【００６５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６６】
（付記）
請求項１に記載の発明は、鍵盤部が設けられた楽器ケースと、前記鍵盤部の鍵配列方向において２つに分割され、前記鍵盤部を覆う一対の鍵盤蓋と、前記楽器ケースの両側部にそれぞれ回転可能に取り付けられて前記一対の鍵盤蓋を支持し、これら一対の鍵盤蓋を前記楽器ケースの両側に向けて開閉する一対の回転支持部材と、を備えていることを特徴とする鍵盤楽器である。
【００６７】
請求項２に記載の発明は、請求項１に記載の鍵盤楽器において、前記一対の回転支持部材は、前記鍵盤部上から前記楽器ケースの両側部の各側方を経て前記楽器ケースの下部に亘って、前記一対の鍵盤蓋をそれぞれ回転移動させることを特徴とする鍵盤楽器である。
【００６８】
請求項３に記載の発明は、請求項１または請求項２に記載の鍵盤楽器において、前記一対の回転支持部材は、前記楽器ケースの両側部内にそれぞれ設けられた各支持軸と、これら各支持軸にそれぞれ上下方向に回転自在に取り付けられた各回転アーム部とを有し、前記各回転アーム部が前記楽器ケースの両側部にそれぞれ設けられたスリット状の各ガイド孔内を回転移動することを特徴とする鍵盤楽器である。
【００６９】
請求項４に記載の発明は、請求項１〜請求項３のいずれかに記載の鍵盤楽器において、前記楽器ケースの下面における後部には、補助スタンド部材が上下方向に回転可能に取り付けられていることを特徴とする鍵盤楽器である。
【００７０】
請求項５に記載の発明は、請求項１〜請求項４のいずれかに記載の鍵盤楽器において、前記楽器ケースの下側に垂下された状態の前記一対の鍵盤蓋を前記楽器ケースに対して固定するための固定部材を備えていることを特徴とする鍵盤楽器である。
【符号の説明】
【００７１】
１  楽器ケース
２  鍵盤部
６  一対の鍵盤蓋
７  回転支持部材
８  支持軸
９  回転アーム部
１０  ガイド孔
１２  スタンド収納部
１３  補助スタンド部材
１４  取付板
１６  ストッパ部
１７  固定部材
１８  収納凹部
１９  ねじ部材
【図１】
2014228610.tif 000003
【図２】
2014228610.tif 000004
【図３】
2014228610.tif 000005
【図４】
2014228610.tif 000006
【図５】
2014228610.tif 000007
【図６】
2014228610.tif 000008
【図７】
2014228610.tif 000009
【図８】
2014228610.tif 000010